(57)【要約】【課題】  高調波妨害を与えるクロック周波数の設定を除外できるようにすると共に、当該装置から他の装置へのクロック信号による高調波妨害の発生を抑制できるようにする。【解決手段】  ＣＬＫＸ信号に基づいてデジタル信号処理をするチューナー部１１等と、このチューナー部１１等を動作可能とする周波数候補のＣＬＫＸ信号を生成し選択処理に基づいてＣＬＫＸ信号を供給するクロック供給手段１０と、受信可能周波数帯域を検索して受信チャンネル群を設定する選局設定手段５７と、ここで設定されたチャンネル群から各々の周波数帯域の受信チャンネルの周波数範囲を抽出し、ここで抽出された受信チャンネルの周波数範囲と予め準備された複数のＣＬＫＸ信号の周波数候補とを比較する比較手段５８と、この比較結果に基づいてクロック供給手段１０の出力設定処理をするＣＰＵ５５とを備えるものである。【選択図】        図１
2005136618.tif 000002
【特許請求の範囲】
【請求項１】
予め設定されたチャンネルを選局し、所定の周波数のクロック信号に基づいて受信処理をする装置であって、
前記クロック信号に基づいてデジタル信号処理をするデジタル処理手段と、
前記デジタル処理手段を動作可能とする周波数候補のクロック信号を生成し選択処理に基づいて当該デジタル処理手段にクロック信号を供給するクロック供給手段と、
前記デジタル処理手段の受信可能周波数帯域を検索して受信チャンネル群を設定する選局設定手段と、
前記選局設定手段によって設定された前記チャンネル群から各々の周波数帯域の受信チャンネルの周波数範囲を抽出し、抽出された前記周波数帯域の受信チャンネルの周波数範囲と、予め準備された複数のクロック信号の周波数候補とを比較する比較手段と、
周波数設定機能を有して前記比較手段による比較結果に基づき前記クロック供給手段の出力設定処理をする制御手段とを備えることを特徴とする選局受信処理装置。
【請求項２】
前記クロック供給手段は、
基準周波数のクロック信号を発振する発振器と、
前記発振器によって発振されたクロック信号を所定の分周比及び逓倍数で信号処理して前記デジタル処理手段を動作可能とする周波数候補のクロック信号を生成する複数のクロック生成回路と、
前記制御手段の出力設定処理に基づいて前記クロック生成回路の出力を選択するクロック選択回路とを有することを特徴とする請求項１に記載の選局受信処理装置。
【請求項３】
前記制御手段は、
前記比較手段による比較結果に基づいて前記複数のクロック生成回路の中から任意のクロック生成回路を選択することを特徴とする請求項２に記載の選局受信処理装置。
【請求項４】
前記制御手段は、
前記受信チャンネル群の受信周波数に対して高調波妨害を与える周波数のクロック信号を生成するクロック生成回路に関しては、当該クロック生成回路の選択を拒否することを特徴とする請求項１に記載の選局受信処理装置。
【請求項５】
前記選局設定手段は、
前記デジタル処理手段によって信号処理される受信信号の有無及び当該受信信号の信号強度を検出し、
前記制御手段は、
前記選局設定手段によって設定された全ての前記受信チャンネル群に対して高調波妨害を与えないクロック信号が存在するか否かを検出し、
前記高調波妨害を与えないクロック信号が存在しない場合に、前記選局設定手段によって検出された前記信号強度が弱いチャンネル群に対して前記高調波妨害を与えないクロック信号を供給可能な前記クロック生成回路を選択することを特徴とする請求項１に記載の選局受信処理装置。
【請求項６】
前記周波数帯域には、
ＶＨＦ帯、ミッドバンド、スーパーハイバンド及びＵＨＦ帯が含まれることを特徴とする請求項１に記載の選局受信処理装置。
【請求項７】
選局受信処理装置を動作させるクロック信号の周波数を設定する方法であって、
前記クロック信号の周波数の候補を予め複数準備し、
前記周波数の候補が複数準備された選局受信処理装置の受信可能周波数帯域を検索して受信チャンネル群を設定し、
設定された前記チャンネル群から各々の周波数帯域の受信チャンネルの周波数範囲を抽出し、
抽出された前記周波数帯域の受信チャンネルの周波数範囲と、予め準備された複数のクロック信号の周波数候補とを比較し、
比較結果に基づいて前記複数のクロック信号の周波数候補の中から任意の周波数を選択して設定することを特徴とするクロック周波数設定方法。
【請求項８】
前記選局受信処理装置を動作させるクロック信号の周波数の設定は、前記選局受信処理装置の設置時の初期設定となる自動チャンネル設定時に実行することを特徴とする請求項７に記載のクロック周波数設定方法。
【請求項９】
前記選局受信処理装置で使用するクロック信号は、
基準周波数のクロック信号を所定の分周比及び逓倍数で信号処理して生成することを特徴とする請求項７に記載のクロック周波数設定方法。
【請求項１０】
前記受信チャンネル群の受信周波数に対して高調波妨害を与える周波数のクロック信号については、当該周波数の選択を拒否することを特徴とする請求項７に記載のクロック周波数設定方法。
【請求項１１】
前記選局受信処理装置によって信号処理される受信信号の有無及び当該受信信号の信号強度を検出すると共に、予め設定された全ての前記受信チャンネル群に対して高調波妨害を与えないクロック信号が存在するか否かを検出し、
前記高調波妨害を与えないクロック信号が存在しない場合は、先に検出された前記信号強度の弱いチャンネル群に対して高周波妨害を与えないクロック信号の周波数を選択することを特徴とする請求項７に記載のクロック周波数設定方法。
【請求項１２】
前記周波数帯域には、
ＶＨＦ帯、ミッドバンド、スーパーハイバンド及びＵＨＦ帯が含まれることを特徴とする請求項７に記載のクロック周波数設定方法。
【発明の詳細な説明】
【技術分野】
【０００１】
本発明は、テレビ設置時に、受信可能周波数帯域を検索して受信チャンネル群を設定する自動チャンネル設定機能を備えたテレビジョン受像機に適用して好適な選局受信処理装置及びクロック周波数設定方法に関する。
【０００２】
詳しくは、当該テレビジョン受像機に周波数設定機能を有した制御手段を備え、各チャンネル群から各々の周波数帯域の受信チャンネルの周波数範囲を抽出し、ここで抽出された周波数帯域の受信チャンネルの周波数範囲と、予め準備された複数のクロック信号の周波数候補とを比較した結果に基づいて複数のクロック生成回路の中から最適なクロック生成回路を選択してそれを設定し、高調波妨害を与えるクロック生成回路の設定を除外できるようにすると共に、当該テレビジョン受像機から他のテレビジョン受像機へのクロック信号による高調波妨害の発生を抑制できるようにしたものである。
【背景技術】
【０００３】
近年、半導体集積回路技術及びデジタル処理技術の発達に伴い、情報処理装置は、高速デジタル処理される場合が多くなってきた。情報処理装置の中で、テレビジョン受像機等の選局受信処理装置も、その多くが高速デジタル処理により動作する方式に移行されつつある。この種の選局受信処理装置には、所定の周波数のクロック信号により動作するデジタル処理回路が内蔵され、クロック信号を生成するクロック生成回路が設けられる。
【０００４】
クロック信号は、基準周波数のクロック信号を分周及び逓倍処理等して所望の周波数となされるが、クロック生成回路は、当該周波数の２倍、３倍、４倍・・・・等の高調波を発生する場合が多い。このクロック信号の高調波は、例えば、自機における画質劣化や動作不安定等の原因につながる場合がある。また、アンテナ体を通じて他の選局受信処理装置に対しても、画質劣化や動作不安定等の悪影響を与える場合がある。クロック信号によるこれらの高調波妨害を防止するために、クロック生成回路における高調波発生源に対して遮蔽等を行って抑止する対策が採られている。しかしながら、確実な対応が取れていない場合が多くある。
【０００５】
なお、クロック信号による高調波妨害の防止策に関連して、特許文献１には、画像表示装置及びクロック切換回路が記載されている。このクロック切換回路によれば、複数の映像信号処理用のクロック発振回路と、これらのクロック発振回路を切換える切換回路と、受信映像信号のチャンネルに対応して切換え回路の出力制御をする制御信号出力手段とを備え、この制御信号出力手段は、複数のクロック発振回路の中で発振周波数の高調波が受信映像信号チャンネルの映像高調波信号の占有周波数帯域に一致しないクロック発振回路を選択するようになされる（クロック周波数設定機能）。このように、自機の受信映像信号チャンネルに対応して複数のクロック発振回路の中から最適なクロック発振回路を切換えることで、クロック信号の高調波が映像高周波信号に影響を及ぼすことなく、美しい画像を得ることができるというものである。
【０００６】
【特許文献１】特公平１０−２８０８７６６号公報（第２頁  第１図）
【発明の開示】
【発明が解決しようとする課題】
【０００７】
ところで、従来例に係るクロック周波数設定方式を備えた選局受信処理装置によれば、次のような問題がある。
【０００８】
ｉ．特許文献１の画像表示装置を含めて従来方式の選局受信処理装置は、現在、どのチャンネルを選択しているかを判断し、この判断結果に基づいて複数のクロック生成回路の中から最適なクロック発振回路を切り換えなくてはならない。これは、受信中のチャンネルに応じてクロック信号の高調波妨害の形成しない周波数のクロック信号を生成するクロック生成回路を選択するためである。この方式によると、当該クロック信号による自機への高調波妨害（自家中毒）を防止することができても、同一の受信エリアで、近接して設置された他のテレビやＶＴＲに対して、アンテナを通じて高調波妨害を与えるおそれがある。
【０００９】
ii．従来方式によれば、受信チャンネルを変える毎に、高調波妨害の形成しない周波数のクロック信号を選択するような制御シーケンスを実行しなくてはならないので、特許文献１の制御信号出力手段を含めてクロック選択に係る制御負担が大きい。
【００１０】
そこで、この発明は、このような従来の課題を解決したものであって、高調波妨害を与えるクロック周波数の設定を除外できるようにすると共に、当該装置から他の装置へのクロック信号による高調波妨害の発生を抑制できるようにした選局受信処理装置及びクロック周波数設定方法を提供することを目的とする。
【課題を解決するための手段】
【００１１】
上述した課題は、予め設定されたチャンネルを選局し、所定の周波数のクロック信号に基づいて受信処理をする装置であって、クロック信号に基づいてデジタル信号処理をするデジタル処理手段と、このデジタル処理手段を動作可能とする周波数候補のクロック信号を生成し選択処理に基づいて当該デジタル処理手段にクロック信号を供給するクロック供給手段と、デジタル処理手段の受信可能周波数帯域を検索して受信チャンネル群を設定する選局設定手段と、この選局設定手段によって設定されたチャンネル群から各々の周波数帯域の受信チャンネルの周波数範囲を抽出し、ここで抽出された周波数帯域の受信チャンネルの周波数範囲と、予め準備された複数のクロック信号の周波数候補とを比較する比較手段と、この比較手段による比較結果に基づいてクロック供給手段の出力設定処理をする制御手段とを備えることを特徴とする選局受信処理装置によって解決される。
【００１２】
本発明に係る選局受信処理装置によれば、予め設定されたチャンネルを選局し、所定の周波数のクロック信号に基づいて受信処理をする場合に、デジタル処理手段は、クロック信号に基づいてデジタル信号処理をする。クロック供給手段は、デジタル処理手段を動作可能とする周波数候補のクロック信号を生成し選択処理に基づいて当該デジタル処理手段にクロック信号を供給する。
【００１３】
例えば、クロック供給手段では、発振器が基準周波数のクロック信号を発振すると、複数のクロック生成回路では、発振器によって発振されたクロック信号を所定の分周比及び逓倍数で信号処理してデジタル処理手段を動作可能とする周波数候補のクロック信号を生成する。クロック選択回路では、制御手段の出力設定処理に基づいてクロック生成回路の出力を選択する。
【００１４】
これを前提にして、選局設定手段は、自動チャンネル設定時等において、デジタル処理手段の受信可能周波数帯域を検索して受信チャンネル群を設定する。比較手段は、選局設定手段によって設定されたチャンネル群から各々の周波数帯域の受信チャンネルの周波数範囲を抽出し、ここで抽出された前記周波数帯域の受信チャンネルの周波数範囲と、予め準備された複数のクロック信号の周波数候補とを比較する。周波数設定機能を有した制御手段は、この比較手段による比較結果に基づいてクロック供給手段の出力設定処理をする。例えば、制御手段は、比較手段による比較結果に基づいて複数のクロック生成回路の中から任意のクロック生成回路を選択するようになる。
【００１５】
従って、複数のクロック生成回路の中から、当該チャンネルの受信周波数に対して高調波妨害を与える周波数のクロック信号を生成するクロック生成回路に関しては、そのクロック生成回路の選択を拒否する制御が可能になるので、高調波妨害を与えるクロック生成回路の設定を除外することができる。これにより、予め設定されたチャンネル群の周波数帯域とクロック信号の高調波とが一致しないようにクロック信号の周波数を設定することができるので、当該選局受信処理装置から他の選局受信処理装置へのクロック信号による高調波妨害の発生を抑制することができる。
【００１６】
本発明に係るクロック周波数設定方法は、選局受信処理装置を動作させるクロック信号の周波数を設定する方法であって、クロック信号の周波数の候補を予め複数準備し、周波数の候補が複数準備された選局受信処理装置の受信可能周波数帯域を検索して受信チャンネル群を設定し、ここで設定されたチャンネル群から各々の周波数帯域の受信チャンネルの周波数範囲を抽出し、ここで抽出された周波数帯域の受信チャンネルの周波数範囲と、予め準備された複数のクロック信号の周波数候補とを比較し、この比較結果に基づいて複数のクロック信号の周波数候補の中から任意の周波数を選択して設定することを特徴とするものである。
【００１７】
本発明に係るクロック周波数設定方法によれば、選局受信処理装置の動作クロック信号の周波数を設定する場合に、予め複数の周波数のクロック信号が準備され、複数の周波数のクロック信号の中から、当該チャンネルの受信周波数に対して高調波妨害を与える周波数のクロック信号に関しては、そのクロック信号の選択を拒否できるようになる。従って、高調波妨害を与えるクロック生成回路の設定を除外することができ、当該選局受信処理装置から他の選局受信処理装置へのクロック信号による高調波妨害の発生を抑制することができる。
【発明の効果】
【００１８】
本発明に係る選局受信処理装置及びクロック周波数設定方法によれば、予め設定されたチャンネルを選局し、所定の周波数のクロック信号に基づいて受信処理をする場合に周波数設定機能を有した制御手段を備え、この制御手段は、自動チャンネル設定時に、各チャンネル群から各々の周波数帯域を抽出し、ここで抽出された周波数帯域の受信チャンネルの周波数範囲と、予め準備された複数のクロック信号の周波数候補とを比較した結果に基づいてクロック供給手段の出力設定処理をするものである。
【００１９】
この構成によって、複数のクロック生成回路の中から、当該チャンネルの受信周波数に対して高調波妨害を与える周波数のクロック信号を生成するクロック生成回路に関しては、そのクロック生成回路の選択を拒否するようになるので、高調波妨害を与えるクロック生成回路の設定を除外することができる。これにより、予め設定されたチャンネル群の周波数帯域とクロック信号の高調波とが一致しないようにクロック信号の周波数を設定することができるので、当該選局受信処理装置から他の選局受信処理装置へのクロック信号による高調波妨害の発生を抑制することができる。
【発明を実施するための最良の形態】
【００２０】
続いて、この発明に係る選局受信処理装置及びクロック周波数設定方法の一実施の形態について、図面を参照しながら説明をする。
図１は、本発明に係る実施形態としてのデジタルテレビ１００の構成例を示す概念図である。
この実施形態では、予め設定されたチャンネルを選局し、所定の周波数のクロック信号に基づいて受信処理をするデジタルテレビに周波数設定機能を有した制御装置を備え、各チャンネル群から各々の周波数帯域の受信チャンネルの周波数範囲を抽出し、ここで抽出された周波数帯域の受信チャンネルの周波数範囲と、予め準備された複数のクロック信号の周波数候補とを比較した結果に基づいて複数のクロック生成回路の中から最適なクロック生成回路を選択してそれを設定し、高調波妨害を与えるクロック生成回路の設定を除外できるようにすると共に、当該テレビジョン受像機から他のテレビジョン受像機へのクロック信号による高調波妨害の発生を抑制できるようにしたものである。
【００２１】
図１に示すデジタルのテレビジョン受像機（以下デジタルテレビ１００という）は、選局受信処理装置の一例であり、予め設定されたチャンネルを選局し、所定の周波数のクロック信号に基づいて受信処理をする装置である。当該デジタルテレビで取り扱われる周波数帯域は、１チャンネル（以下ｃｈと表示する）〜３ｃｈのＶＨＦ帯（周波数範囲；９０ＭＨｚ〜１０８ＭＨｚ）、Ｃ１３ｃｈ〜Ｃ２２ｃｈのミッドバンド（周波数範囲；１０８ＭＨｚ〜１７０ＭＨｚ）、４ｃｈ〜１２ｃｈのＶＨＦ帯（周波数範囲；１７０ＭＨｚ〜２２２ＭＨｚ）、Ｃ２３ｃｈ〜Ｃ６３ｃｈのスーパーハイバンド（周波数範囲；２２２ＭＨｚ〜４６８ＭＨｚ）及び、１３ｃｈ〜６２ｃｈのＵＨＦ帯（周波数範囲；４７０ＭＨｚ〜７７０ＭＨｚ）である。当該選局受信処理装置は、テレビセット設置時に、受信可能周波数帯域を検索して受信チャンネル群を設定する自動チャンネル設定機能を備えたデジタルテレビに適用して好適である。
【００２２】
図１において、デジタルテレビ１００は、クロック供給手段１０、制御装置１５、表示手段１８、操作部２０の他に、デジタル処理手段の一例となるチューナー部１１、同期分離部１２、映像＆音声処理部１３、走査処理部１４、水平駆動部１６及び垂直駆動部１７を有しており、所定の周波数のクロック信号に基づいてデジタル信号処理をするようになされる。
【００２３】
チューナー部１１には制御装置１５が接続され、当該制御装置１５には操作部２０が接続される。操作部２０はテレビ設置時に、自動チャンネル設定モードを指示するように操作される。ここで自動チャンネル設定モードとは、受信可能周波数帯域を検索して受信チャンネル群を設定する動作をいう。操作部２０にはチャンネル設定キー、周波数帯設定キー、ボリュームキー等が設けられる。操作部２０は、自動チャンネルの設定の他に、通常、チャンネルを選局するように操作される。
【００２４】
チューナー部１１にはアンテナ３０が接続され、放送局からの到来電波や、放送衛星からの到来電波等を受信する。チューナー部１１は、予め設定されたチャンネルを操作部２０の選局機能を使用して選局すると、アンテナ３０で受信された当該放送局からのＢＳ方式又は放送衛星からのＣＳ方式の受信信号を同期分離部１２に出力する。受信信号には、映像信号、音声信号及び同期信号が含まれている。
【００２５】
チューナー部１１には同期分離部１２が接続され、クロック信号（以下ＣＬＫＸ信号という）に基づいて受信信号から同期信号を分離して走査処理部１４に出力し、受信信号から映像＆音声信号を分離して映像＆音声処理部１３に出力するようになされる。
【００２６】
同期分離部１２には映像＆音声処理部１３が接続され、ＣＬＫＸ信号に基づいて映像＆音声信号から映像信号を分離してデータ処理し映像データ（ＤATA）を出力する。同期分離部１２には映像＆音声処理部１３の他に走査処理部１４が接続され、ＣＬＫＸ信号に基づいて同期信号から水平同期信号（Ｈsync）を分離して水平駆動部１６に出力する。走査処理部１４では、ＣＬＫＸ信号に基づいて同期信号から垂直同期信号（Ｖsync）を分離して垂直駆動部１７に出力する。
【００２７】
走査処理部１４には水平駆動部１６が接続され、水平同期信号及びＣＬＫＸ信号に基づいて表示手段１８を水平走査処理をするようになされる。走査処理部１４には水平駆動部１６の他に垂直駆動部１７が接続され、垂直同期信号及びＣＬＫＸ信号に基づいて表示手段１８を垂直走査処理をするようになされる。
【００２８】
映像＆音声処理部１３には表示手段１８が接続され、当該映像＆音声処理部１３から出力される映像データを入力し、水平駆動部１６による水平走査処理と、垂直駆動部１７による垂直走査処理とに基づいて映像を表示するようになされる。表示手段１８には、液晶ディスプレイや、プラズマディスプレイ、陰極線管等が使用される。映像＆音声処理部１３には表示手段１８の他にスピーカー１９が接続され、当該映像＆音声処理部１３から出力される音声信号を入力して音声あるいは音楽等を出力するようになされる。
【００２９】
上述のチューナー部１１には、選局設定手段５７及び比較手段５８を構成する制御装置１５が接続される。制御装置１５は、ＣＬＫＸ信号に基づいて動作可能なＩ／Ｏインターフェース５１、ＲＯＭ５２、ＲＡＭ５３、ＥＥＰＲＯＭ５４及びＣＰＵ５５を有している。チューナー部１１はＩ／Ｏインターフェース５１に接続され、このＩ／Ｏインターフェース５１には、データバス５６が接続される。データバス５６には、ＲＯＭ５２、ＲＡＭ５３、ＥＥＰＲＯＭ５４、ＣＰＵ５５が接続される。
【００３０】
ＲＯＭ５２には当該デジタルテレビ全体を制御するためのシステムプログラムデータが格納される。ＲＡＭ５３は、ワークメモリとして使用され、例えば、制御コマンド等を一時記憶するようになされる。ＣＰＵ５５は制御手段の一例であり、電源がオンされると、ＲＯＭ５２からシステムプログラムデータを読み出してシステムを起動し、操作部２０からの操作データＤ３に基づいて当該受信機全体を制御するようになされる。
【００３１】
ＲＯＭ５２には、システムプログラムデータの他に、選局設定手段５７及び比較手段５８を構築するソフトウエアが格納される。当該ソフトウエアには、チューナー部１１の受信可能周波数帯域を検索して受信チャンネル群を設定する処理プログラムや、当該チューナー部１１によって信号処理される受信信号の有無及び当該受信信号の信号強度を検出する処理プログラム等が含まれる。
【００３２】
上述のＲＯＭ５２、ＲＡＭ５３、ＥＥＰＲＯＭ５４及びＣＰＵ５５は選局設定手段５７を構成し、チューナー部１１の受信可能周波数帯域を検索して受信チャンネル群を設定するようになされる。この例で、周波数帯域には、ＶＨＦ帯、ミッドバンド、スーパーハイバンド及びＵＨＦ帯が含まれる。ＣＰＵ５５等は、例えば、チューナー部１１によって信号処理される受信信号の有無及び当該受信信号の信号強度を検出するようになされる。選局設定情報Ｄ２は、例えば、不揮発メモリであるＥＥＰＲＯＭ５４に記録される。ＥＥＰＲＯＭ５４には、選局設定情報Ｄ２の他にクロック選択データＤ１が記録される。クロック選択データＤ１は、クロック生成回路＃ｉを選択するための設定データであり、自動チャンネル設定処理後に生成されるデータである。
【００３３】
ＣＰＵ５５及びＲＡＭ５３等は比較手段５８を構成し、当該ＣＰＵ５５によって設定されたチャンネル群から各々の周波数帯域の受信チャンネルの周波数範囲を抽出し、ここで抽出された周波数帯域の受信チャンネルの周波数範囲と、予め準備された複数のクロック信号の周波数候補とを比較するように動作する。比較結果はＲＡＭ５３等に格納される。
【００３４】
ＣＰＵ５５は、ＲＡＭ５３に格納された比較結果に基づいてクロック供給手段１０の出力を制御する。ＣＰＵ５５は、例えば、ＲＡＭ５３から読み出した比較結果に基づいて複数のクロック生成回路の中から任意のクロック生成回路＃ｉを選択する。この例で、ＣＰＵ５５は、受信チャンネル群の受信周波数に対して高調波妨害を与える周波数のクロック信号を生成するクロック生成回路＃ｉに関しては、当該クロック生成回路＃ｉの選択を拒否するように動作する。
【００３５】
また、ＣＰＵ５５は、ＥＥＰＲＯＭ５４（選局設定手段５７）に記録（設定）された全ての受信チャンネル群に対して高調波妨害を与えないクロック信号が存在するか否かを検出し、高調波妨害を与えない周波数のクロック信号が存在しない場合に、ＥＥＰＲＯＭ５４（選局設定手段５７によって検出された）に記録された信号強度が弱いチャンネル群に対して高調波妨害を与えないクロック信号を供給可能なクロック生成回路＃ｉを選択するように動作する。上述のチューナー部１１、同期分離部１２、映像＆音声処理部１３、走査処理部１４、水平駆動部１６、垂直駆動部１７及び制御装置１５には、クロック供給手段１０が接続され、当該制御装置１５のクロック選択設定処理に基づいて設定されたＣＬＫＸ信号を供給するようになされる。
【００３６】
図２は、クロック供給手段１０の内部構成例を示すブロック図である。図２に示すクロック供給手段１０は、複数の周波数候補のクロック信号を生成するように動作する。クロック供給手段１０は、ＣＰＵ５５のクロック選択設定処理に基づいて設定されたＣＬＫＸ信号を図１に示した、チューナー部１１、同期分離部１２、映像＆音声処理部１３、走査処理部１４、水平駆動部１６及び垂直駆動部１７に各々供給するようになされる。
【００３７】
クロック供給手段１０は、図２に示すように、例えば、発振器１と、ｎ個のクロック生成回路＃ｉ（ｉ＝１〜ｎ）と、クロック選択回路２とを有している。発振器１は、基準周波数ｆ０が例えば、１８．５４３９５６ＭＨｚのクロック信号を発振する。発振器１には水晶発振素子が使用される。発振器１には、例えば、４つのクロック生成回路＃ｉ（ｉ＝１〜４）が接続される。クロック生成回路＃１は、発振器１によって発振された基準周波数ｆ０のクロック信号を所定の分周比及び逓倍数で信号処理してクロック信号を生成する。ここで基準周波数をｆ０とし、分周係数をＭＰＩＣとし、逓倍係数をＭＰＦＢとすると、当該クロック生成回路＃ｉで生成されるＣＬＫＸ信号の周波数ｆｘは、（１）式、すなわち、
ｆｘ＝（ＭＰＩＢ＋１／ＭＰＦＣ＋１）×Ｆ０      ・・・・・・・（１）
により計算される。（１）式で、逓倍数はＭＰＩＢ＋１であり、分周比は１／（ＭＰＦＣ＋１）である。
【００３８】
この例で周波数ｆｘに関して、分周係数が「２」と「３」の場合、逓倍係数が「１６」、「２２」、「１７」、「２４」の場合、つまり、逓倍数／分周比が１７／３、２３／４、１８／３、２５／４の場合についてクロック生成回路＃ｉを構成している。例えば、クロック生成回路＃１には、予め逓倍数が「１７」、分周比が「１／３」に設定され、基準周波数ｆ０のクロック信号を分周及び逓倍処理して制御装置１５（特にメモリ部）等を動作可能とする周波数ｆｘ＝１０５．０８２ＭＨｚの第１候補のクロック信号（以下ＣＬＫ１ともいう）を生成するように動作する。クロック生成回路＃２では、予め逓倍数が「２３」、分周比が「１／４」に設定され、基準周波数ｆ０のクロック信号を分周及び逓倍処理して制御装置１５等を動作可能とする周波数１０６．６２６ＭＨｚの第２候補のクロック信号（以下ＣＬＫ２ともいう）を生成するように動作する。
【００３９】
クロック生成回路＃３は、逓倍数が「１８」、分周比が「１／３」に設定され、基準周波数ｆ０のクロック信号を分周及び逓倍処理して制御装置１５等を動作可能とする周波数ｆｘ＝１１１．２６４ＭＨｚの第３候補のクロック信号（以下ＣＬＫ３ともいう）を生成するように動作する。クロック生成回路＃４は、逓倍数が「２５」、分周比が「１／４」に設定され、基準周波数ｆ０のクロック信号を分周及び逓倍処理して制御装置１５等を動作可能とする周波数ｆｘ＝１１５．９ＭＨｚの第４候補のクロック信号（以下ＣＬＫ４ともいう）を生成するように動作する。
【００４０】
これら４つのクロック生成回路＃１〜＃４にはクロック選択回路２が接続され、ＣＰＵ５５の出力設定処理に基づいてこれら４つのクロック生成回路＃１〜＃４の中から任意のクロック生成回路＃ｉの出力（ＣＬＫＸ信号）が選択される。クロック生成回路＃ｉの選択基準に関しては、自動チャンネル設定時に、ＣＰＵ５５によって設定された受信チャンネル群から各々の周波数帯域の受信チャンネルの周波数範囲を抽出し、ここで抽出された周波数帯域の受信チャンネルの周波数範囲と、予め準備された４つのクロック信号の周波数候補とを比較する。この比較結果に基づいて最適なクロック生成回路＃ｉの出力を選択し設定するようになされる。ここに選択され設定されたクロック生成回路＃ｉから出力されるＣＬＫＸ信号は、チューナー部１１、同期分離部１２、映像＆音声処理部１３、走査処理部１４、水平駆動部１６及び垂直駆動部１７に各々供給するようになされる（クロック選択設定処理）。
【００４１】
図３〜図５は、クロック信号の周波数及びその高調波と受信チャンネルの周波数範囲との関係例（ＶＨＦ、ミッドバンド、スーパーハイバンド、ＵＨＦ帯）を示す表図である。
図３〜図５に示す表図において、左側から右側方向に順に、周波数帯域、受信チャンネル、周波数範囲、クロック生成回路＃１〜クロック生成回路＃４による各々周波数ｆｘを示している。また、上側から下側方向に順に、当該デジタルテレビ１００で取り扱われる周波数帯域、受信チャンネル、周波数範囲に関して、その項目として１ｃｈ〜３ｃｈのＶＨＦ帯（周波数範囲；９０ＭＨｚ〜１０８ＭＨｚ）、Ｃ１３ｃｈ〜Ｃ２２ｃｈのミッドバンド（周波数範囲；１０８ＭＨｚ〜１７０ＭＨｚ）、４ｃｈ〜１２ｃｈのＶＨＦ帯（周波数範囲；１７０ＭＨｚ〜２２２ＭＨｚ）、Ｃ２３ｃｈ〜Ｃ６３ｃｈのスーパーハイバンド（周波数範囲；２２２ＭＨｚ〜４６８ＭＨｚ）及び、１３ｃｈ〜６２ｃｈのＵＨＦ帯（周波数範囲；４７０ＭＨｚ〜７７０ＭＨｚ）を示している。
【００４２】
この例で、各々のクロック生成回路＃１〜＃４では、基準周波数ｆ０の２倍、３倍、４倍、５倍、６倍、７倍・・・等の高調波が発生する。表内において、周波数ｆｘ×１群で波線で囲んだ部分は、クロック生成回路＃１で生成された周波数ｆｘ＝１０５．０８２ＭＨｚのＣＬＫＸ＝ＣＬＫ１信号や、クロック生成回路＃２で生成された周波数ｆｘ＝１０６．６２６ＭＨｚのＣＬＫＸ＝ＣＬＫ２信号がＶＨＦ帯の３チャンネルの周波数範囲１０２ＭＨｚ〜１０８ＭＨｚに含まれる場合である。この場合、受信妨害を起こす原因となる。以下、波線で囲んだ部分は、受信信号の強度やバンド内の位置で見え方が変わるので、高調波妨害の程度を実機判断した上で、クロック周波数選択設定のモードにおいて「クロック選定の指標チャンネル」とするようになされる。
【００４３】
また、クロック生成回路＃３で生成された周波数ｆｘ＝１１１．２６４ＭＨｚのＣＬＫＸ＝ＣＬＫ３信号は、ミッドバンドの１３チャンネルの周波数範囲１０８ＭＨｚ〜１１４ＭＨｚに含まれる。クロック生成回路＃４で生成された周波数ｆｘ＝１１５．９ＭＨｚのＣＬＫＸ＝ＣＬＫ４信号は、同バンドの１４チャンネルの周波数範囲１１４ＭＨｚ〜１２０ＭＨｚに含まれる。
【００４４】
また、図３に示す表内において、周波数ｆｘ×２群で波線で囲んだ部分は、クロック生成回路＃１で生成されたＣＬＫＸ＝ＣＬＫ１信号の２倍の周波数２１０．１６５ＭＨｚの高調波や、クロック生成回路＃２で生成されたＣＬＫＸ＝ＣＬＫ２信号の２倍の周波数２１３．２５１ＭＨｚの高調波が、ＶＨＦ帯の１１チャンネルの周波数範囲２１２ＭＨｚ〜１０８ＭＨｚに含まれる場合である。
【００４５】
更に、図４に示す表内において、周波数ｆｘ×２群で波線で囲んだ部分は、クロック生成回路＃３で生成されたＣＬＫＸ＝ＣＬＫ３信号の２倍の周波数２２２．５２７ＭＨｚの高調波が、スーパーハイバンドの２３チャンネルの周波数範囲２２２ＭＨｚ〜２２８ＭＨｚに含まれる場合である。クロック生成回路＃４で生成されたＣＬＫＸ＝ＣＬＫ４信号の２倍の周波数２３１．７９９ＭＨｚの高調波は、同バンドの２４チャンネルの周波数範囲２３０ＭＨｚ〜２３６ＭＨｚに含まれる。
【００４６】
また、図４に示す表内において、周波数ｆｘ×３群で波線で囲んだ部分は、クロック生成回路＃１で生成されたＣＬＫＸ＝ＣＬＫ１信号の３倍の周波数３１５．４２７ＭＨｚの高調波が、スーパーハイバンドの３８チャンネルの周波数範囲３１２ＭＨｚ〜３１８ＭＨｚに含まれる場合である。クロック生成回路＃２で生成されたＣＬＫＸ＝ＣＬＫ２信号の３倍の周波数３１９．８７７ＭＨｚの高調波は、同バンドの３９チャンネルの周波数範囲３１８ＭＨｚ〜３２４ＭＨｚに含まれる。
【００４７】
更に、クロック生成回路＃３で生成されたＣＬＫＸ＝ＣＬＫ３信号の３倍の周波数３３３．７９１ＭＨｚの高調波は、スーパーハイバンドの４１チャンネルの周波数範囲３３０ＭＨｚ〜３３６ＭＨｚに含まれる。クロック生成回路＃４で生成されたＣＬＫＸ＝ＣＬＫ４信号の３倍の周波数３４７．６９９ＭＨｚの高調波は、同バンドの４３チャンネルの周波数範囲３４２ＭＨｚ〜３４８ＭＨｚに含まれる。
【００４８】
また、図４に示す表内において、周波数ｆｘ×４群で波線で囲んだ部分は、クロック生成回路＃１で生成されたＣＬＫＸ＝ＣＬＫ１信号の４倍の周波数４２０．３３ＭＨｚの高調波が、スーパーハイバンドの５６チャンネルの周波数範囲４２０ＭＨｚ〜４２６ＭＨｚに含まれる場合である。クロック生成回路＃２で生成されたＣＬＫＸ＝ＣＬＫ２信号の４倍の周波数４２６．５０３ＭＨｚの高調波は、同バンドの５７チャンネルの周波数範囲４２６ＭＨｚ〜４３２ＭＨｚに含まれる。
【００４９】
更に、クロック生成回路＃３で生成されたＣＬＫＸ＝ＣＬＫ３信号の４倍の周波数４４５．０５５ＭＨｚの高調波は、スーパーハイバンドの６０チャンネルの周波数範囲４４４ＭＨｚ〜４５０ＭＨｚに含まれる。クロック生成回路＃４で生成されたＣＬＫＸ＝ＣＬＫ４信号の４倍の周波数４６３．５９９ＭＨｚの高調波は、同バンドの６３チャンネルの周波数範囲４６２ＭＨｚ〜４６８ＭＨｚに含まれる。
【００５０】
また、図５に示す表内において、周波数ｆｘ×５群で波線で囲んだ部分は、クロック生成回路＃１で生成されたＣＬＫＸ＝ＣＬＫ１信号の５倍の周波数５２５．４１２ＭＨｚの高調波が、ＵＨＦ帯の２２チャンネルの周波数範囲５２４ＭＨｚ〜５３０ＭＨｚに含まれる場合である。クロック生成回路＃２で生成されたＣＬＫＸ＝ＣＬＫ２信号の５倍の周波数５３３．１２８ＭＨｚの高調波は、ＵＨＦ帯の２３チャンネルの周波数範囲５３０ＭＨｚ〜５３６ＭＨｚに含まれる。
【００５１】
更に、クロック生成回路＃３で生成されたＣＬＫＸ＝ＣＬＫ３信号の５倍の周波数５５６．３１９ＭＨｚの高調波は、ＵＨＦ帯の２７チャンネルの周波数範囲５５４ＭＨｚ〜５５０ＭＨｚに含まれる。クロック生成回路＃４で生成されたＣＬＫＸ＝ＣＬＫ４信号の５倍の周波数５７９．４９９ＭＨｚの高調波は、ＵＨＦ帯の３１チャンネルの周波数範囲５７８ＭＨｚ〜５８４ＭＨｚに含まれる。
【００５２】
また、図５に示す表内において、周波数ｆｘ×６群で波線で囲んだ部分は、クロック生成回路＃１で生成されたＣＬＫＸ＝ＣＬＫ１信号の６倍の周波数６３０．４９５ＭＨｚの高調波が、ＵＨＦ帯の３９チャンネルの周波数範囲６２６ＭＨｚ〜６３２ＭＨｚに含まれる場合である。クロック生成回路＃２で生成されたＣＬＫＸ＝ＣＬＫ２信号の６倍の周波数６３９．７５４ＭＨｚの高調波は、ＵＨＦ帯の４１チャンネルの周波数範囲６３８ＭＨｚ〜６４４ＭＨｚに含まれる。
【００５３】
更に、クロック生成回路＃３で生成されたＣＬＫＸ＝ＣＬＫ３信号の６倍の周波数６６７．５８２ＭＨｚの高調波は、ＵＨＦ帯の４５チャンネルの周波数範囲６６２ＭＨｚ〜６６８ＭＨｚに含まれる。クロック生成回路＃４で生成されたＣＬＫＸ＝ＣＬＫ４信号の６倍の周波数６９５．３９８ＭＨｚの高調波は、ＵＨＦ帯の５０チャンネルの周波数範囲６９２ＭＨｚ〜６９８ＭＨｚに含まれる。
【００５４】
また、図５に示す表内において、周波数ｆｘ×７群で波線で囲んだ部分は、クロック生成回路＃１で生成されたＣＬＫＸ＝ＣＬＫ１信号の７倍の周波数７３５．５７７ＭＨｚの高調波が、ＵＨＦ帯の５７チャンネルの周波数範囲７３４ＭＨｚ〜７４０ＭＨｚに含まれる場合である。クロック生成回路＃２で生成されたＣＬＫＸ＝ＣＬＫ２信号の７倍の周波数７４６．３８ＭＨｚの高調波は、ＵＨＦ帯の５９チャンネルの周波数範囲７４６ＭＨｚ〜７５２ＭＨｚに含まれる。
【００５５】
続いて、本発明に係るクロック周波数設定方法について説明をする。図６は、デジタルテレビ１００の設置時等における処理例を示すフローチャートである。
この実施形態では、新規テレビの設置時に行う初期設定である「自動チャンネル設定」の結果を用いて、デジタルテレビ１００を動作させるクロック信号の周波数ｆｘを設定する場合、つまり、選局設定終了時に、クロック信号の高調波が、予め設定された受信チャンネル群の周波数帯域と一致しない周波数ｆｘのクロック信号を自動選択し設定する場合を前提とする。この際のクロック信号の周波数ｆｘについては、図２に示したように、予め４つの候補が準備されている場合を例に挙げる。また、受信チャンネル群の受信周波数範囲に高調波妨害を与える周波数のクロック信号について、ＣＰＵ５５は、当該周波数の選択を拒否するように動作する（クロック周波数選択設定処理）。
【００５６】
なお、予め設定された受信可能チャンネルの全てに対して高調波妨害を与えない周波数のクロック信号が選択できない場合に備えて、当該デジタルテレビ１００によって信号処理される受信信号の有無及び当該受信信号の信号強度を自動チャンネル設定時に検出すると共に、予め設定された全ての受信チャンネル群に対して高調波妨害を与えないクロック信号が存在するか否かを検出し、高調波妨害を与えないクロック信号が存在しない場合は、先に検出された信号強度の弱いチャンネル群に影響を与えないクロック信号の周波数を選択する場合を例に挙げる。この場合、周波数選択処理に関しては優先順位に基づいて、信号強度の弱いチャンネル群に影響を与えない周波数のクロック信号を選択する場合を前提とする（クロック周波数優先選択処理）。
【００５７】
これらをデジタルテレビ１００の設置時のクロック周波数選択設定条件にして、図６に示すフローチャートのステップＡ１で新規テレビ設置か、あるいは、他の処理かによって制御を分岐する。他の処理には、後述するテレビ設置後のテレビ放送受信処理が含まれる。この例で、新規テレビの設置時には、ステップＡ２に移行して、初期設定である「自動チャンネル設定」を実行したかがチェックされる。この際のチェックは、例えば、表示手段１８に、自動チャンネル設定画面が表示され、この画面上でユーザの確認を取るように動作される。
【００５８】
「自動チャンネル設定」を実行していない場合は、ステップＡ２に移行して自動チャンネル設定処理を実行する。このとき、ユーザは操作部２０を操作して「自動チャンネル設定」を指定すると、操作部２０からＣＰＵ５５へ操作データが出力される。ＣＰＵ５５は、周波数の候補が複数準備されたデジタルテレビ１００の受信可能周波数帯域を操作データに基づいて検索して受信チャンネル群を設定する。このとき、ＣＰＵ５５は、自動チャンネル設定機能を利用して、例えば、ステップＡ３１で受信可能チャンネルを検索し、この検索中に各チャンネルの信号強度を検出してその信号強弱をＲＡＭ５３等に記録する。
【００５９】
そして、チャンネル設定終了後に、ステップＡ４に移行して、先に設定されたチャンネル群から各々の周波数帯域の受信チャンネルの周波数範囲を抽出する。この抽出処理は、チューナー部１１での選択可能な動作周波数毎に、高調波妨害を与える受信チャンネルをリスト化するためである。この高調波妨害を与える受信チャンネルのリストには、受信チャンネル毎に信号強弱情報を付加してもよい。
【００６０】
次に、ステップＡ５に移行して、先に抽出された周波数帯域の受信チャンネルの周波数範囲と、予め準備された複数のクロック信号の周波数候補とを比較して高調波妨害を与える周波数のクロック信号を検出する。このとき、信号強弱情報付きの受信可能チャンネルのリストと、複数のクロック信号の周波数候補とを比較するようにしてもよい。そして、先の検出結果に基づいて複数の周波数候補のクロック信号の中から任意の周波数のクロック信号を選択して設定する（クロック周波数選択設定処理）ために、優先順位に従って、最適な周波数のクロック信号を選択する。
【００６１】
この例では、ステップＡ６に移行して、先に設定された受信可能チャンネルの全ての周波数範囲を避けられる周波数ｆｘ＝ｆａのＣＬＫＸ信号が有るか否かを検出する。周波数ｆａのクロック信号が有る場合は、ステップＡ７に移行して第１順位に従ってクロック生成回路＃ｉを選択する。
【００６２】
例えば、表１において、選択可能なクロックＡ〜Ｄが存在する場合であって、受信可能チャンネルの全ての周波数範囲を避けられる周波数ｆａのＣＬＫＸ信号が「クロックＡ」である場合、この「クロックＡ」を選択するようになされる。これにより、最適なクロック信号を選択することができる。
【００６３】
【表１】
2005136618.tif 000003
【００６４】
表１において、×印は、当該周波数ｆｘのＣＬＫＸ信号が受信妨害を与えるチャンネルを示している。
【００６５】
上述のステップＡ６で受信可能チャンネルの全ての周波数範囲を避けられる周波数ｆａのＣＬＫＸ信号が無い場合は、ステップＡ８に移行して、先に設定された受信可能チャンネルの中に、信号強度「弱」の受信可能チャネルの全ての周波数範囲を避けられる周波数ｆｂのＣＬＫＸ信号が有るか否かを検出する。周波数ｆｂのＣＬＫＸ信号が有る場合は、第２順位に従って、クロック生成回路＃ｉを選択する。
【００６６】
例えば、表１の例において、選択可能なクロックＢ〜Ｄが存在する場合であって、信号強度「弱」の受信可能チャネルの全ての周波数範囲を避けられる周波数ｆｂのＣＬＫＸ信号が「クロックＢ」である場合、この「クロックＢ」を選択するようになされる。これにより、最適なクロック信号を選択し設定することができる。
【００６７】
上述のステップＡ８で信号強度「弱」の受信可能チャネルの全ての周波数範囲を避けられる周波数ｆｂのＣＬＫＸ信号が無い場合は、ステップＡ９に移行して、第３順位に従って、クロック生成回路＃ｉを選択する。このとき、初期設定で固定された周波数ｆｘのＣＬＫＸ信号を選択する、もしくは、受信中のチャンネルに高調波妨害を与えない周波数のクロック信号をリアルタイムに計算して自動設定するシステムを採用する（クロック周波数優先選択処理）。
【００６８】
なお、ステップＡ７，ステップＡ９、ステップＡ１０で選択されたクロック生成回路＃ｉを選択するためのクロック選択データＤ１は、ステップＡ１１に移行してＥＥＰＲＯＭ５４等に記録される。以後、電源オンと共に、ＥＥＰＲＯＭ５４等からクロック選択データＤ１が読み出され、クロック選択回路２に設定される。これにより、最適な周波数ｆｘのＣＬＫＸ信号を当該クロック供給手段１０から、チューナー部１１、同期分離部１２、映像＆音声処理部１３、走査処理部１４、水平駆動部１６、垂直駆動部１７及び制御装置１５等に供給することができる。
【００６９】
また、ステップＡ１で新規テレビ設置以外の操作を指示した場合は、制御を分岐してステップＡ１２に移行し、ＣＰＵ５５はテレビ放送受信処理等を実行する。例えば、当該クロック供給手段１０から、チューナー部１１、同期分離部１２、映像＆音声処理部１３、走査処理部１４、水平駆動部１６、垂直駆動部１７及び制御装置１５等に最適な周波数のクロック信号を供給する。
【００７０】
チューナー部１１は、予め設定されたチャンネルを操作部２０の選局機能を使用して選局すると、アンテナ３０で受信された当該放送局からのＢＳ方式又は放送衛星からのＣＳ方式の受信信号を受信処理して同期分離部１２に出力する。受信信号には、映像信号、音声信号及び同期信号が含まれている。
【００７１】
同期分離部１２はチューナー部１１から受信信号を入力し、ＣＬＫＸ信号に基づいて受信信号から同期信号を分離して走査処理部１４に出力し、受信信号から映像＆音声信号を分離して映像＆音声処理部１３に出力するようになされる。映像＆音声処理部１３は、同期分離部１２から映像＆音声信号を入力し、ＣＬＫＸ信号に基づいて映像＆音声信号から映像信号を分離してデータ処理し映像データ（ＤATA）を出力する。
【００７２】
走査処理部１４は、同期分離部１２から同期信号を入力し、ＣＬＫＸ信号に基づいて同期信号から水平同期信号（Ｈsync）を分離して水平駆動部１６に出力する。走査処理部１４では、ＣＬＫＸ信号に基づいて同期信号から垂直同期信号（Ｖsync）を分離して垂直駆動部１７に出力する。
【００７３】
水平駆動部１６は、走査処理部１４から水平同期信号を入力し、水平同期信号及びＣＬＫＸ信号に基づいて表示手段１８を水平走査処理をするようになされる。垂直駆動部１７は、走査処理部１４から垂直同期信号を入力し、垂直同期信号及びＣＬＫＸ信号に基づいて表示手段１８を垂直走査処理をするようになされる。
【００７４】
表示手段１８は、映像＆音声処理部１３から映像データを入力し、水平駆動部１６による水平走査処理と、垂直駆動部１７による垂直走査処理とに基づいて映像を表示するようになされる。映像＆音声処理部１３に接続されたスピーカー１９から音声や音楽等を出力するようになされる。
【００７５】
このように、本発明に係る実施形態としてのデジタルテレビ及びクロック周波数設定方法によれば、予め設定されたチャンネルを選局し、所定の周波数ｆｘのＣＬＫＸ信号に基づいて受信処理をする場合に、選局設定手段５７は、自動チャンネル設定時等において、チューナー部１１の受信可能周波数帯域を検索して受信チャンネル群を設定する。比較手段５８は、選局設定手段５７によって設定されたチャンネル群から各々の周波数帯域の受信チャンネルの周波数範囲を抽出し、ここで抽出された周波数帯域の受信チャンネルの周波数範囲と予め準備された複数のＣＬＫＸ信号の周波数候補とを比較する。ＣＰＵ５５は、この比較手段５８による比較結果に基づいてクロック供給手段１０の出力設定処理をする。このとき、ＣＰＵ５５は、比較手段５８による比較結果に基づいて４つのクロック生成回路＃１〜＃４の中から任意のクロック生成回路＃ｉを選択するようになる。
【００７６】
従って、４つのクロック生成回路＃１〜＃４の中から、当該チャンネルの受信周波数ｆｘに対して高調波妨害を与える周波数ｆｘのＣＬＫＸ信号を生成するクロック生成回路＃ｉに関しては、そのクロック生成回路＃ｉの選択を拒否する制御が可能となるので、高調波妨害を与えるクロック生成回路＃ｉの設定を除外することができる。これにより、予め設定されたチャンネル群の周波数帯域とＣＬＫＸ信号の高調波とが一致しないようにＣＬＫＸ信号の周波数ｆｘを設定することができるので、当該デジタルテレビ１００から他のデジタルテレビ１００へのＣＬＫＸ信号による高調波妨害の発生を抑制することができる。
【００７７】
一般に、近接して設置された他のデジタルテレビ１００において、その受信可能周波数帯域で同一のチャンネル群を受信することになるが、この方式を使ってＣＬＫＸ信号の周波数ｆｘを設定することにより、当該デジタルテレビ１００から他のデジタルテレビ１００へのそのＣＬＫＸ信号に基づく高調波の影響を抑制できると共に、他のデジタルテレビ１００から当該デジタルテレビ１００へのＣＬＫＸ信号に基づく高調波の影響も同時に抑制できる。このように、選局設定終了時に、受信チャンネルに対して高調波妨害を与えない、もしくは、与えにくい周波数ｆｘのＣＬＫＸ信号を自動選択設定できるようになるので、機内妨害、近接設置された周辺のテレビ、ＶＴＲへの妨害を減少できるようになる。高調波妨害を発生し難いクロック選択設定方法を提供することができる。なお、自動チャンネル設定結果に対してユーザの取捨選択が可能なデジタルテレビ１００である場合は、その操作後に本発明を適用するようにしてもよい。
【００７８】
この実施形態では、選局受信処理装置に関して、デジタルテレビ１００の場合について説明したが、これに限られることはなく、表示手段１８を持たない、ベースステーションとしてのチューナー装置や、デジタルテレビ以外のテレビジョン受像機にも本発明を適用することができる。
【産業上の利用可能性】
【００７９】
本発明は、新規テレビ設置時に、受信可能周波数帯域を検索して受信チャンネル群を設定する自動チャンネル設定機能を備えたテレビジョン受像機等に適用して極めて好適である。
【図面の簡単な説明】
【００８０】
【図１】本発明に係る実施形態としてのデジタルテレビ１００の構成例を示す概念図である。
【図２】クロック供給手段１０の内部構成例を示すブロック図である。
【図３】クロック信号の周波数及びその高調波と受信チャンネルの周波数範囲との関係例（ＶＨＦ、ミッドバンド）を示す表図である。
【図４】クロック信号の周波数及びその高調波と受信チャンネルの周波数範囲との関係例（スーパーハイバンド）を示す表図である。
【図５】クロック信号の周波数及びその高調波と受信チャンネルの周波数範囲との関係例（ＵＨＦ）を示す表図である。
【図６】デジタルテレビ１００の設置時等における処理例を示すフローチャートである。
【符号の説明】
【００８１】
１・・・発振器（クロック供給手段）、２・・・クロック選択回路（クロック供給手段）、１０・・・クロック供給手段、１１・・・チューナー部(デジタル処理手段）、１２・・・同期分離部(デジタル処理手段）、１３・・・映像＆音声処理部(デジタル処理手段）、１４・・・走査処理部(デジタル処理手段）、１５・・・制御装置、１６・・・水平駆動部(デジタル処理手段）、１７・・・垂直駆動部(デジタル処理手段）、１８・・・表示手段、１９・・・スピーカー、２０・・・操作部、３０・・・アンテナ、５５・・・ＣＰＵ（制御手段）、５７・・・選局設定手段、５８・・・比較手段、１００・・・デジタルテレビ（選局受信処理装置）、＃ｉ（ｉ＝１〜４）・・・クロック生成回路（クロック供給手段）
【図１】
2005136618.tif 000004
【図２】
2005136618.tif 000005
【図３】
2005136618.tif 000006
【図４】
2005136618.tif 000007
【図５】
2005136618.tif 000008
【図６】
2005136618.tif 000009